(57)【特許請求の範囲】
【請求項１】
それぞれに雌ネジが形成されているフロントパネル及びリアパネルと、
上記雌ネジに締結されるネジの径より大きい大径ネジ挿通穴が前後両端に形成されている外装部品とをネジによって締結するビデオカメラの組立方法において、
上記フロントパネル及び上記リアパネルの下面に形成されている被取付部材に対する取付け面が基準面によって面一状に設定される工程と、
上記外装部品が上記フロントパネル及び上記リアパネルの上記取付け面から上記フロントパネル及び上記リアパネルの被取付部材に対する面一状の取付け面から上方へ浮かされた状態で、その外装部品の前後両端の大径ネジ挿通穴に上記基準面とほぼ平行な方向から挿通されたネジが上記フロントパネル及び上記リアパネルの雌ネジに締結されて、これらフロントパネルとリアパネルが上記外装部品を介して一体に固定される工程とを備えた
ことを特徴とする電子機器の筐体組立方法。
【請求項２】
それぞれに雌ネジが形成されているフロントパネル及びリアパネルと、
上記雌ネジに締結されるネジの径より大きい大径ネジ挿通穴が前後両端に形成されていて、これら大径ネジ挿通穴に上記フロントパネル及び上記リアパネルの被取付部材に対する面一状の取付け面とほぼ平行な方向から挿通された上記ネジがこれらフロントパネル及びリヤパネルの上記雌ネジにそれぞれ締結されることによって、これらフロントパネル及びリヤパネルに結合された外装部品であって、その際、該外装部品は上記フロントパネル及び上記リアパネルの被取付部材に対する面一状の取付け面から上方へ浮かされた状態で、これらフロントパネル及びリヤパネルに結合されるように構成されている
ことを特徴とする電子機器の筐体。
【請求項３】
請求項２に記載の外装部品がプレス部品で構成された
ことを特徴とする電子機器の筐体。
【請求項４】
請求項２に記載の外装部品を上記フロントパネルと上記リアパネルの面一状の取付け面より内側へ入り込ませた
ことを特徴とする電子機器の筐体。
【請求項５】
請求項２又は請求項３又は請求項４の筐体を備えた
ことを特徴とするビデオカメラ。
【発明の詳細な説明】
【０００１】
【発明の属する技術分野】
本発明は、例えば、ＦＡ（ファクトリーオートメーション）装置等に搭載するのに最適なＣＣＤビデオカメラのような電子機器の筐体組立方法と、電子機器の筐体とビデオカメラの技術分野に属するものである。
【０００２】
【従来の技術】
従来から、図４〜図７に示すように、電子機器の一例であるＣＣＤビデオカメラ１の筐体であるカメラ筐体２は、外装部品を構成しているフロントパネル３と、リアパネル４と、シャーシを兼用するボトムカバー５と、トップカバー６とによって角筒型の中空構造に構成されている。そして、フロントパネル３及びリアパネル４はアルミニウム等のダイカスト部品等にて構成されていて、ボトムカバー５はアルミニウム等のダイカスト部品で構成するのが一般的であり、トップカバー６は板金等のプレス部品で構成されている。そして、ボトムカバー５及びトップカバー６の前後両端を複数のネジ７Ａ、７Ｂ、８Ａ、８Ｂによってフロントパネル３及びリアパネル４に締結して角筒型のカメラ筐体２を構成している。そして、フロントパネル３にはレンズマウント部１０が一体成形されていて、リアパネル４には入出力端子１１や複数の調整用スイッチ類等が取り付けられている。
そして、高剛性、高精度に成形されたダイカスト部品であるフロントパネル３とリアパネル４の例えば下面に、このＣＣＤビデオカメラ１をＦＡ装置等に搭載するための前後一対の被取付部材に対する取付け面２１Ａ、２１Ｂが形成されていて、これらの取付け面２１Ａ、２１Ｂには、このＣＣＤビデオカメラ１をＦＡ装置等にネジ止めするための各一対の雌ネジ２２Ａ、２２Ｂが用意（予め加工されている）されている。
【０００３】
ところで、従来のカメラ筐体２２では、図４に示すように、ボトムカバー５の前後両端をフロントパネル３及びリアパネル４に各一対のネジ７Ａ、７Ｂによって締結する際に、その各一対のネジ７Ａ、７Ｂをボトムカバー５の前後両端に形成された各一対のネジ挿通穴２３Ａ、２３Ｂに取付け面２１Ａ、２１Ｂに対して直角方向である下方から挿通して、これら各一対のネジ７の上端（先端）をフロントパネル３及びリアパネル４に一体成形されている各一対のネジ締結部２４Ａ、２４Ｂに用意された各一対の雌ネジ２５Ａ、２５Ｂに締結していた。そして、ボトムカバー５をダイカスト部品で高剛性、高精度に加工することによってフロントパネル３及びリアパネル４の取付け面２１Ａ、２１Ｂと、そのカメラ筐体２に内蔵されている撮像素子アッセンブリの光軸Ｐとの直角度及び平面度を出していた。
【０００４】
【発明が解決しようとする課題】
しかし、従来は、図５に示すように、フロントパネル３及びリアパネル４に形成されている被取付部材に対する前後一対の取付け面２１Ａ、２１Ｂとネジ締結部２４Ａ、２４Ｂとの間の高さ方向の寸法Ａ及びＢと、ボトムカバー５の前後両端部におけるネジ挿通穴２３部分の高さ方向の寸法Ａ′及びＢ′の寸法公差により、前後一対の取付け面２１Ａ、２１Ｂの平面度に段差や捩れ等の狂いが発生してしまう。
そして、ＣＣＤビデオカメラ１を前後一対の取付け面２１Ａ、２１ＢによってＦＡ装置等にネジ止めして搭載する場合に、これらの取付け面２１Ａ、２１Ｂの平面度に狂いがあると、内蔵されている撮像素子アッセンブリの光軸Ｐのずれが発生してしまい、ＣＣＤビデオカメラ１の光軸位置の精度の狂いや、機械設備等への取付け性の不都合が発生する等の重大問題につながる。
また、従来は、ボトムカバー５の寸法精度によって前後一対の取付け面２１Ａ、２１Ｂと光軸Ｐとの直角度、平面度等の幾何公差を最小に制限する目的から、ボトムカバー５をフロントパネル３及びリアパネル４と同様にダイカスト部品で構成せざるを得ず、ダイカスト部品等の鋳造部品は作製する金型費と部品作製単価がプレス部品等に比べて著しく高価になると言う問題があった。
【０００５】
本発明は、上記の問題を解決するためになされたものであって、外装部品の寸法精度に影響されることなく、フロントパネル及びリアパネルの被取付部材に対する前後一対の取付け面の平面度の精度を向上させることができる電子機器の筐体組立方法と、電子機器の筐体とビデオカメラを提供することを目的としている。
【０００６】
【課題を解決するための手段】
上記の目的を達成するための本発明の電子機器の筐体組立方法は、それぞれに雌ネジが形成されているフロントパネル及びリアパネルと、上記雌ネジに締結されるネジの径より大きい大径ネジ挿通穴が前後両端に形成されている外装部品とを上記ネジによって締結するビデオカメラの組立方法において、上記フロントパネル及び上記リアパネルの被取付部材に対する取付け面が基準面によって面一状に設定される工程と、上記外装部品が上記フロントパネル及び上記リアパネルの上記取付け面から浮かされた状態で、その外装部品の前後両端の大径ネジ挿通穴に上記基準面とほぼ平行な方向から挿通されたネジが上記フロントパネル及び上記リアパネルの雌ネジに締結されて、これらフロントパネルとリアパネルが上記外装部品を介して一体に固定される工程とを備えたものである。
【０００７】
上記のように構成された本発明の電子機器の筐体組立方法は、それぞれに雌ネジが形成されているフロントパネル及びリアパネルと、上記雌ネジに締結されるネジの径より大きい大径ネジ挿通穴が前後両端に形成されている外装部品とを上記ネジによって締結するビデオカメラの組立方法において、フロントパネル及びリアパネルの前後一対の取付け面の平面度を共通の基準面で高精度に保証した状態で、外装部品の前後両端をネジによってフロントパネルとリアパネルに前後一対の取付け面とほぼ平行な方向から締結するようにし、しかも、その際、外装部品の面精度が前後一対の取付け面に悪影響を及ぼさないように、その外装部品が基準面から上方へ浮かされた状態で、かつ、ネジを外装部品の前後両端に形成されていてネジの径より大きい大径ネジ挿通穴から挿通させるようにして外装部品の前後両端をフロントパネル及びリアパネルに締結するようにしたので、外装部品の寸法精度等に影響されることなく、前後一対の取付け面の平面度を高精度に保証できる。
【０００８】
【発明の実施の形態】
以下、本発明を適用したＣＣＤビデオカメラの実施の形態を図１〜図３を参照して説明する。なお、図４〜図７と同一構造部には同一の符号を付して説明の重複を省く。
【０００９】
まず、本発明のＣＣＤビデオカメラ１のカメラ筐体２では、後述するように、外装部品であるボトムカバー５の寸法精度によって前後一対の取付け面２１Ａ、２１Ｂと光軸Ｐとの直角度、平面度等の幾何公差を保証するものではないことから、このボトムカバー５を板金等のプレス部品で構成することができるものである。
【００１０】
そして、ダイカスト部品で構成されているフロントパネル３及びリアパネル４に一体成形されている各一対のネジ締結部２４Ａ、２４Ｂの雌ネジ２５Ａ、２５Ｂに締結される各一対のネジ７Ａ、７Ｂをボトムカバー５の前後両端に挿通すべく、そのボトムカバー５の前後両端に形成される各一対の大径ネジ挿通穴はネジ２６Ａ、２６Ｂは通称バカ穴と称されネジ７Ａ、７Ｂの外径に比べて十分に大きい内径に形成されている。しかも、フロントパネル３及びリアパネル４の各一対のネジ締結部２４Ａ、２４Ｂは前後一対の取付け面２１Ａ、２１Ｂに対して垂直状に形成されていて、前後各一対の雌ネジ２５Ａ、２５Ｂが前後一対の取付け面２１Ａ、２１Ｂとほぼ平行な横向きに構成されている。また、ボトムカバー５の前後各一対の大径ネジ挿通穴２６Ａ、２６Ｂもそのボトムカバー５の左右両側部に垂直状にプレス加工された左右両側部５ａに横向きに形成されていて、これら前後各一対の大径ネジ挿通穴２６Ａ、２６Ｂの方向も前後一対の取付け面２１Ａ、２１Ｂとほぼ平行な横向きに構成されている。
【００１１】
ここで、カメラ筐体２の組立方法を説明すると、まず、図１に示すように、例えば定盤等の共通の基準面３１上にフロントパネル３及びリアパネル４の前後一対の取付け面２１Ａ、２１Ｂを押圧手段３２Ａ、３２Ｂによって押圧して載置する。そして、ボトムカバー５を浮上手段３３によって基準面３１から上方に僅かに浮かせるように配置して、そのボトムカバー５と基準面３１との間に僅かな隙間Ｇを形成する。そして、そのボトムカバー５の前後各一対の大径ネジ挿通穴２６Ａ、２６Ｂに前後各一対のネジ７Ａ、７Ｂを前後一対の取付け面２１Ａ、２１Ｂとほぼ平行な横方向から挿入して、フロントパネル３及びリアパネル４の各一対のネジ締結部２４Ａ、２４Ｂの雌ネジ２５Ａ、２５Ｂに締結して、ボトムカバー５の前後両端にフロントパネル３及びリアパネル４を一体に固定するものである。
【００１２】
このようにして組立完了されたカメラ筐体２によれば、プレス部品で構成されたボトムカバー５の寸法精度を全く問うことなく、ボトムカバー５の前後両端に一体に固定されたフロントパネル３及びリアパネル４の前後一対の取付け面２１Ａ、２１Ｂの平面度を高精度に保証することができる。この結果、ボトムカバー５をプレス部品で構成したにも拘らず、前後一対の取付け面２１Ａ、２１Ｂの平面度を従来に比べて著しく向上することができ、このＣＣＤビデオカメラ１を前後一対の取付け面２１Ａ、２１ＢによってＦＡ装置等の機械設備等にネジ止めするように搭載した時の光軸位置の精度向上、その機械設備への取付け性の向上を実現することができる。
【００１３】
しかも、この際、図１に示すように、ボトムカバー５がフロントパネル３及びリアパネル４の前後一対の取付け面２１Ａ、２１Ｂの内側（図１で上方側を言う）に僅かに（前述した隙間Ｇに相当する）入り込んだ状態で、フロントパネル３及びリアパネル４に締結されているのでＣＣＤビデオカメラ１を前後一対の取付け面２１Ａ、２１Ｂによって機械設備へネジにて締結する際に、ボトムカバー５がその機械設備と干渉（突き当ること）されず、そのＣＣＤビデオカメラ１の取付け精度の向上及び取付けの作業性の向上を図ることができる。
【００１４】
そして、ボトムカバー５をプレス部品で構成できることにより、ボトムカバー５の作製のための金型作製費及び部品作製のコストを大幅に低減することができる。なお、外装部品であるトップカバー６によってフロントパネル３及びリアパネルを前述した方法でボトムカバー５と同様に一体に固定することも可能である。
【００１５】
以上、本発明の実施の形態について説明したが、本発明は上記した実施の形態に限定されることなく、本発明の技術的思想に基づいて各種の変更が可能である。例えば、本発明は、ＣＣＤビデオカメラに限定されることなく、各種のビデオカメラやそれ以外の各種の電子機器に適用可能である。
【００１６】
【発明の効果】
以上のように構成された本発明の電子機器の筐体組立方法と、電子機器の筐体とビデオカメラは、次のような効果を奏することができる。
【００１７】
請求項１は、フロントパネル及びリアパネルの前後一対の取付け面の平面度を共通の基準面で高精度に保証した状態で、外装部品の前後両端をネジによってフロントパネルとリアパネルに一対の取付け面とほぼ平行な方向から締結するようにし、しかも、その際、外装部品の面精度が前後一対の取付け面に悪影響を及ぼさないように、その外装部品が基準面から上方へ浮かされた状態で、かつ、ネジを外装部品の前後両端に形成されていてネジの径より大きい大径ネジ挿通穴から挿通させるようにして外装部品の前後両端をフロントパネル及びリアパネルに締結するようにしたので、外装部品の寸法精度等に影響されることなく、前後一対の取付け面の平面度を高精度に保証できるようにしたので、前後一対の取付け面と光軸との直角度、平面度の精度を大幅に向上することができる。そして、前後一対の取付け面の平面度の精度を大幅に向上させることができるので、電子機器をＦＡ装置等の機械設備へ取り付ける際の調整作業の簡素化を図り、その取付け作業時間の大幅な短縮を実現できる。そして、前後一対の取付け面の平面度の精度を大幅に向上させることができるので、筐体内でフロントパネルとリアパネルとの間に渡って支持される例えば配線基板の支持等に関しても、捩れ等による応力の発生を最小限に留めることができて、高耐久性、高信頼性を確保できる。
【００１８】
請求項２は、それぞれに雌ネジが形成されているフロントパネル及びリアパネルと、上記雌ネジに締結されるネジの径より大きい大径ネジ挿通穴が前後両端に形成されていて、これらた大径ネジ挿通穴に上記フロントパネル及び上記リアパネルの被取付部材に対する面一状の取付け面とほぼ平行な方向から挿通された上記ネジがこれらフロントパネル及びリヤパネルの上記雌ネジにそれぞれ締結されることによって、これらフロントパネル及びリヤパネルに結合された外装部品であって、その際、該外装部品は上記フロントパネル及び上記リアパネルの被取付部材に対する面一状の取付け面から上方へ浮かされた状態で、これらフロントパネル及びリヤパネルに結合されるように構成されているので、フロントパネルとリアパネルを外装部品の前後両端にネジによって締結する際に、ネジを外装部品の前後両端に形成されていてそのネジの外径より大きい内径に形成されている大径ネジ挿通穴にフロントパネル及びリアパネルの取付け面とほぼ平行な方向から挿通して締結することができるので、そのネジによる締結作業を簡単に、かつ、容易に行うことができて、生産性を大幅に向上できる。
【００１９】
請求項３は、外装部品をプレス部品で構成したので、金型作製費及び部品作製費を大幅に低減して電子機器の大幅なコストダウンを実現できる。
【００２０】
請求項４は、外装部品をフロントパネル及びリアパネルの面一状の取付け面より内側へ入り込ませたので、この電子機器を機械設備等に前後一対の取付け面によってネジにて締結する際に、外装部品がその機械設備に干渉して、前後一対の取付け面に機械設備に対する浮き等が発生し、電子機器の取付け精度に狂いが発生するようなことを未然に防止することができて、電子機器の取付け精度の向上及び取付け作業性の向上を実現できる。
【００２１】
請求項５は、上述した筐体をビデオカメラに備えたので、ビデオカメラを機械設備等に高精度に、しかも、簡単に取り付けることができる。
【図面の簡単な説明】
【図１】  本発明を適用したＣＣＤビデオカメラの実施の形態におけるカメラ筐体の組立方法を説明する側面図である。
【図２】  同上のカメラ筐体の組立構造を説明する分解斜視図である。
【図３】  同上のカメラ筐体の組立完了状態の斜視図である。
【図４】  従来のＣＣＤビデオカメラのカメラ筐体の組立構造を説明する分解斜視図である。
【図５】  従来のカメラ筐体の寸法公差による前後一対の取付け面の平面度の狂いを説明する側面図である。
【図６】  ＣＣＤビデオカメラの前方側からの斜視図である。
【図７】  ＣＣＤビデオカメラの後方側からの斜視図である。
【符号の説明】
１は電子機器及びビデオカメラの一例であるＣＣＤビデオカメラ、２は筐体であるカメラ筐体、３はフロントパネル、４はリアパネル、５は外装部品であるボトムカバー、７Ａ、７Ｂはネジ、２１Ａ、２１Ｂは取付け面、２４Ａ、２４Ｂはネジ締結部、２５Ａ、２５Ｂは雌ネジ、２６Ａ、２６Ｂは大径ネジ挿通穴、３１は基準面、３２Ａ、３２Ｂは押圧手段、３３は浮上手段である。
【図１】
0004147686.tif 000002
【図２】
0004147686.tif 000003
【図３】
0004147686.tif 000004
【図４】
0004147686.tif 000005
【図５】
0004147686.tif 000006
【図６】
0004147686.tif 000007
【図７】
0004147686.tif 000008